(57)【要約】【目的】筺体内から排出したメディアを開口部より容易に抜き取り得るようにしながら、その脱落を防止することのできる方法を提供する。【構成】光ディスクや光磁気ディスク等のメディア６を出し入れするための開口部３を形成する筺体１内に、メディア６を引き込む送りローラ１１が設けられる。送りローラ１１は筺体１内のメディア６を開口部３より抜き取り得る取出位置Ｐｏまで移動させ、そのメディア６が一定時間内に開口部３より抜き取られなかったときには、メディア６を取出位置Ｐｏより筺体１の内方へ引き込む。このため、自動車などの振動系で使用されるメディア駆動装置でもメディアが開口部から脱落しない。【選択図】　図３
2004013955.tif 000002
【特許請求の範囲】
【請求項１】
光ディスクや光磁気ディスク等のメディアを出し入れするための開口部を形成する筺体内に前記メディアを引き込む搬送手段を設け、その搬送手段により筺体内のメディアを前記開口部より抜き取り得る取出位置まで移動させるようにしたメディア駆動装置におけるメディアの排出方法において、前記搬送手段により前記メディアを筺体内より前記取出位置まで移動せしめた後、そのメディアが一定時間内に開口部より抜き取られなかったときに、前記搬送手段を駆動させて前記メディアを取出位置より筺体の内方へ引き込むことを特徴とするメディア駆動装置におけるメディアの排出方法。
【発明の詳細な説明】
【０００１】
【発明の属する技術分野】
本発明は、ＣＤやＤＶＤの記録情報を再生するディスクプレーヤなどのメディア駆動装置に係わり、特にその筺体内に装填されたメディアを脱落させずに取り出せるようにしたメディア駆動装置におけるメディアの排出方法に関する。
【０００２】
【従来の技術】
従来、音声や映像の記録媒体として、コンパクトディスク（ＣＤ）、デジタルビデオディスク（ＤＶＤ）、又はカートリッジ付きのミニディスク（ＭＤ）をはじめとするディスク状のメディアほか、カセットテープやビデオテープなどカートリッジ内に磁気テープを収容したテープ式メディアなどが知られる。一方、それらの各メディアに対応して、これに情報を記録したり、その記録情報を再生するための種々のメディア駆動装置が実用化されている。その構造は多種多様であるが、基本的態様として筺体の前面にメディアを出し入れする開口部を形成すると共に、その開口部に挿入されたメディアを筺体内に引き込む搬送手段を備えたものが一般に広く普及している。そして、その種のメディア駆動装置によれば、筺体内に設けた搬送手段により開口部に挿入されたメディアを筺体内の駆動部まで搬送したり、そのメディアを駆動部から開口部へ返送することができるようにしてある。ここに、図０は搬送手段によりディスク状のメディアが筺体内から排出された状態を示す。この図で明らかなように、排出時のメディアはその前方部分が開口部より突出する位置まで移動されるのであり、この状態にして当該メディアはその両端面を摘まんで開口部から容易に抜き取ることができる。
【０００３】
【発明が解決しようとする課題】
然し乍ら、上記のようにメディアが開口部から大きく突出された状態では、これを開口部から抜き取る前に当該メディアが開口部から脱落してしまう虞れがある。特に、車載用のメディア駆動装置では筺体内より排出されたメディアが車両の走行振動によって開口部より脱落する虞れが高く、これを気にして走行中にメディアを抜き取ろうとすると注意が散漫となって交通事故を引き起こしかねないという問題があった。
【０００４】
本発明は以上のような事情に鑑みて成されたものであり、その目的は筺体内から排出したメディアを開口部より容易に抜き取り得るようにしながら、その脱落を防止できるようにすることにある。
【０００５】
【課題を解決するための手段】
本発明は上記目的を達成するため、光ディスクや光磁気ディスク等のメディアを出し入れするための開口部を形成する筺体内に前記メディアを引き込む搬送手段を設け、その搬送手段により筺体内のメディアを前記開口部より抜き取り得る取出位置まで移動させるようにしたメディア駆動装置におけるメディアの排出方法において、前記搬送手段により前記メディアを筺体内より前記取出位置まで移動せしめた後、そのメディアが一定時間内に開口部より抜き取られなかったときに、前記搬送手段を駆動させて前記メディアを取出位置より筺体の内方へ引き込むことを特徴とする。
【０００６】
【発明の実施の形態】
以下、本発明の適用例を図面に基づいて説明する。先ず、図１は本発明の一例として係るメディア駆動装置の斜視外観図を示す。図１において、１は装置の筺体であり、この筺体１には後述するようにメディアを駆動させるに必要な各種の機器類が内蔵される。
【０００７】
又、筺体１の前面は操作部２とされ、この操作部２にはメディアの出し入れを行うスリット状の開口部３ほか、液晶パネルなどで成る表示部４、並びに内部の制御部に所定の制御信号を入力するためのスイッチ類５が設けられる。
【０００８】
尚、スイッチ類５としては、主電源スイッチ、メディアの再生駆動を開始するためのプレイスイッチ、その駆動を停止する停止スイッチ、メディアを取り出すためのイジェクトスイッチ、選曲頭だしスイッチ、並びに音量調整用のボリュームダイヤルなどがある。
【０００９】
そして、係るメディア駆動装置によれば、コンパクトディスクやデジタルビデオディスクといった光ディスクや光磁気ディスク等のメディアを駆動して、これにデジタル記録された情報を再生したり、又は所定の情報をデジタル的に記録したりすることができる。因に、メディアを駆動するとは、情報の記録／再生などを行うためにディスク状のメディアにおいて此れを回転させることを言い、テープ式のメディアではテープを走行させることを言う。
【００１０】
次に、図２〜図４は装置の内部構造を示す。これらの図において、６はディスク状のメディア、７はメディアを駆動させるための駆動部であり、この駆動部７は本例においてメディア６の中心部を支持する円盤状のターンテーブル８、このターンテーブルを回転させるためのモータ９（ステッピングモータ）、及びターンテーブルに載せられたメディアの情報記録面に臨む光ピックアップ１０などから構成される。
【００１１】
又、１１は開口部３と駆動部７との間でメディア６の搬送を行う一対の送りローラ（搬送手段）であり、この送りローラ１１は図示せぬ駆動源により正逆に回転駆動され、開口部３に挿入されたメディア６を筺体１内に引き込む一方、筺体１内のメディア６を開口部３から外部に排出する働きをする。
【００１２】
ここに、図２は開口部３に挿入されたメディア６が送りローラ１１によって筺体１内の駆動部７まで搬送された状態であり、この状態において当該メディア６はその中心部をターンテーブル８で支持されたまま所定方向に回転され、その記録情報が光ピックアップ１０により逐次読み取られるようになっている。
【００１３】
次に、以上のようなメディア駆動装置を例にして本発明に係る方法を詳しく説明する。先ず、開口部３にメディア６が挿入されると、これが開口部３の近傍に設けられるセンサ１２により検出されて送りローラ１１が回転駆動し、その送りローラ１１がメディア６を挟みながらこれを上記のように筺体１内に引き込んで駆動部７まで搬送するのであり、これによりメディア６が図２のようにターンテーブル８上に載せられてその再生準備が整えられる。
【００１４】
そして、本発明によれば、メディア６が筺体１内の駆動部７に収容されている状態において、筺体の前面操作部２に設けられるイジェクトスイッチ５Ａを操作することにより、図５に示す制御部１３にメディアの排出信号が入力され、その入力信号により制御部１３が送りローラ１１に対して駆動信号を出力する。これにより、送りローラ１１がメディア６を挟んで回転駆動しつつ、そのメディア６を開口部３より抜き取り得る図３の取出位置Ｐｏまで移動させるようになっている。
【００１５】
尚、送りローラ１１はセンサ１２によってメディア６が検出された直後に停止し、このときメディア６が取出位置Ｐｏにあってその後部を送りローラ１１で保持されたまま、当該メディア６の前方半分程度が開口部３より外部に突出するようになる。特に、この状態においてメディア６の抜き取りが可能とされるが、これが取出位置Ｐｏにあって一定時間内に開口部３より抜き取られなかったときには送りローラ１１が上記と逆方向に回転駆動し、開口部３から外部に排出せしめたメディア６を取出位置Ｐｏより筺体１の内方に引き込むようになっている。
【００１６】
尚、メディア６が使用者によって開口部３より抜き取られたか否かはセンサ１２による検出信号により判別することができる。又、メディア６を取出位置Ｐｏから筺体１の内方へ引き込むための時間設定は図５に示すタイマ１４により行うことができる。因に、タイマ１４はイジェクトスイッチ５Ａの操作時に作動するようにしたり、若しくはセンサ１２によりメディア６が検出されたときに作動するようにしてもよいが、その何れにおいてもタイマ１４がタイムアップ（作動時から２〜５秒経過後）したときにセンサ１２が依然としてメディア６を検出していると、送りローラ１１によるメディア６の引き込みが開始される。
【００１７】
図４は、メディア６が取出位置Ｐｏより筺体１の内方に引き込まれた状態であり、このときメディア６はその極一部が開口部３より突出する位置で静止され、その抜き取りは不可となる。そして、この状態でイジェクトスイッチ５Ａを操作すると、送りローラ１１が駆動してメディア６を取出位置Ｐｏまで再送する一方、図４の状態でプレイスイッチ５Ｂを操作したときには送りローラ１１によってメディア６が駆動部７側に移動され、その再生駆動が実行される。尚、図５は上記のような本願発明を実行する制御系のブロック図であり、図６には本発明に係るフローチャートを示す。
【００１８】
以上、本発明について説明したが、係る方法は必ずしも上記例に限定されるものではない。ここに、上記例では取出位置まで移動せしめたメディアが一定時間内に開口部より抜き取られなかったときに、そのメディアが送りローラによって図４のように取出位置と駆動部との中間位置まで引き込まれるようにしたが、これを駆動部まで引き込むようにしてもよい。又、上記例では搬送手段を一対の送りローラとしたが、送りローラに代えて開口部と駆動部との間を往復する旋回アームを用いても良い。一方、本発明はメディアとしてコンパクトディスクなどのディスク状のものを駆動する装置に限らず、カセットテープやビデオテープといったメディアを駆動するテープデッキなどにも適用できる。
【００１９】
【発明の効果】
以上の説明で明らかなように、本発明によれば、筺体内のメディアを搬送手段によって開口部より抜き取り可能な取出位置まで移動せしめた後、そのメディアが一定時間内に開口部より抜き取られなかったときに、搬送手段を駆動させてメディアを取出位置より筺体の内方へ引き込むようにしたことから、自動車などの振動系で使用されるメディア駆動装置でも、メディアが開口部から抜き取られる前に脱落してしまう虞れを回避できる。このため、使用者はメディアが脱落することを気にせず運転に集中でき、メディア自体の脱落による損傷も防止できるという優れた効果を奏する。
【図面の簡単な説明】
【図１】本発明に係るメディア駆動装置を示した斜視外観図
【図２】メディアが駆動部に装填された状態を示す説明図
【図３】メディアが筺体内より取出位置に移動された状態を示す説明図
【図４】メディアが取出位置から筺体の内方へ引き込まれた状態を示す説明図
【図５】本発明に係るメディア駆動装置の制御系を示すブロック図
【図６】本発明の実施態様を示すフローチャート
【符号の説明】
１　筺体
２　操作部
３　開口部
５　スイッチ類
５Ａ　イジェクトスイッチ
５Ｂ　プレイスイッチ
６　メディア
７　駆動部
８　ターンテーブル
１０　光ピックアップ
１１　送りローラ（搬送手段）
１２　センサ
【図１】
2004013955.tif 000003
【図２】
2004013955.tif 000004
【図３】
2004013955.tif 000005
【図４】
2004013955.tif 000006
【図５】
2004013955.tif 000007
【図６】
2004013955.tif 000008